(57)【要約】【課題】簡便な方法で、コンビニエンススト等の店舗で働く店員の生命を守り、売上金等の現金が盗まれることを防止することが可能な施錠装置を提供する。【解決手段】引き戸２の上部両端に設けられた突起部３ａ、３ｂは、操作部４を操作することによって出没自在であり、引き戸２の上方には車輪５が固定された車輪固定部６が設けられている。レール７の下方側両端には、突起部３ａ、３ｂを係止するためのストッパ８ａ、８ｂが設けられ、レール７の上側の一端には、ばね９を巻き取るための巻き取り部１０が設けられ、ばね９の一端は車輪固定部６に取付られている。操作部４を下方に押し下げると、突起部３ａ、３ｂが引き戸２内に没し、突起部３ａとストッパ８ａとの係止が解除され、車輪５がレール７上を回転して引き戸２が移動するが、車輪固定部６にばね９の一端が取付られていることによって、引き戸２は加速されて移動し施錠される。【選択図】  図１
2006037517.tif 000002
【特許請求の範囲】
【請求項１】
レール上を走行する車輪によって引き戸が移動して施錠される施錠装置において、引き戸の上部両端に突起部が設けられ、この突起部は引き戸に設けられた操作部によって出没自在であり、前記レールの下方側両端に前記突起部を係止するためのストッパが設けられ、前記操作部によって前記突起部の係止が解除されたときに前記引き戸を閉状態とするための引き込み手段が設けられていることを特徴とする施錠装置。
【請求項２】
前記引き込み手段は、引き戸をばねによって加速させて閉状態とするものであることを特徴とする請求項１記載の施錠装置。
【請求項３】
前記引き込み手段は、閉状態となる方向に向かって前記レールを下方に傾斜させて形成したものであることを特徴とする請求項１記載の施錠装置。
【請求項４】
前記引き込み手段は、引き戸を重りによって加速させて閉状態とするものであることを特徴とする請求項１記載の施錠装置。
【発明の詳細な説明】
【技術分野】
【０００１】
本発明は、コンビニエンスストア等の店舗やその他の場所において、防犯用などの目的で、非常事態が発生したときに、扉を閉めて避難する必要がある際に用いられる施錠装置に関する。
【背景技術】
【０００２】
近年、コンビニエンスストアに代表されるように、深夜の時間帯においても営業する店舗が増えたことに伴って、人気の少ない深夜にこれらの店舗を狙った強盗などの犯罪が多発している。このような犯罪から店員の身を守るための発明がいくつかなされており、特許文献１には、店員の身体生命とレジの中の売上金を保護することを目的とした防犯カウンタユニットが提案されている。この防犯カウンタユニットは、非常事態発生時にモータを駆動させると、カウンタテーブル内に入れ子式に収納されていた防弾スチール製の防護板が急速度で上昇することにより、防犯カウンタユニット内に居る店員は防護板で覆われて客側から完全に隔離されるというものである。
【０００３】
【特許文献１】特開平１０−８２２５０号公報
【発明の開示】
【発明が解決しようとする課題】
【０００４】
このような装置を用いると、店員の生命の安全を守るとともにレジの中の売上金を保護することが可能であるが、装置が大がかりとなり、装置の設置にかなりの費用を必要とする。また、コンビニエンスストアにおいては、売上金等の多くの現金は倉庫に保管されているのが通常であり、レジに収納されている現金の額はそれほど多くはない。従って、店員の生命の安全と、倉庫に保管されている多額の現金を守ることができれば、防犯の目的は達成されるということができる。
【０００５】
本発明は、以上の課題を解決するためになされたもので、簡便な方法で、コンビニエンススト等の店舗で働く店員の生命を守り、売上金等の現金が盗まれることを防止することが可能な施錠装置を提供することを目的とする。
【課題を解決するための手段】
【０００６】
以上の課題を解決するために、本発明は、レール上を走行する車輪によって引き戸が移動して施錠される施錠装置において、引き戸の上部両端に突起部が設けられ、この突起部は引き戸に設けられた操作部によって出没自在であり、前記レールの下方側両端に前記突起部を係止するためのストッパが設けられ、前記操作部によって前記突起部の係止が解除されたときに前記引き戸を閉状態とするための引き込み手段が設けられていることを特徴とする施錠装置である。
【０００７】
引き戸に設けられた操作部を操作すると、引き戸の上部両端に設けられた突起部が下方に没してストッパへの係止が解除される。一旦突起部の係止が解除されると、引き戸を閉状態とするための引き込み手段によって、引き戸は加速されて閉状態となる。引き戸が閉状態となると、突起部がストッパに係止されて施錠される。
【０００８】
このような施錠装置をコンビニエンスストア等の店舗の倉庫に設置すると、強盗が店舗内に侵入したときに、店員は即座に倉庫内に逃げ込み、引き戸に設けられた操作部を操作するだけで、瞬時に施錠することができ、倉庫内に強盗が立ち入ることを防止できるため、店員の生命の安全と、倉庫に保管された多額の現金を有効に保護することができる。強盗はその間にレジに保管された現金を盗もうとすることが予想されるが、レジに保管されている現金は少額であり、たとえこの現金が盗まれたとしても店舗が被る損害は僅かである。その間に、倉庫内に逃げた店員は確実に警察へ連絡をとることができ、犯人の迅速な拘束が可能となる。
【０００９】
本発明においては、前記引き込み手段は、引き戸をばねによって加速させて閉状態とするものであることを特徴とする。ばねによって引き戸を加速させることによって、瞬時に施錠することが可能となる。
【００１０】
また、本発明においては、前記引き込み手段は、閉状態となる方向に向かって前記レールを下方に傾斜させて形成したものであることを特徴とする。閉状態となる方向に向かってレールを下方に傾斜させて形成することにより、瞬時に施錠することが可能となる。
【００１１】
また、本発明においては、前記引き込み手段は、引き戸を重りによって加速させて閉状態とするものであることを特徴とする。引き戸を重りによって加速させて閉状態とすることにより、瞬時に施錠することが可能となる。
【発明の効果】
【００１２】
本発明によると、強盗が店舗内に侵入したときに、店員は即座に倉庫内に逃げ込み、引き戸に設けられた操作部を操作するだけで、瞬時に施錠することができ、倉庫内に強盗が立ち入ることを防止できるため、店員の生命の安全と、倉庫に保管された多額の現金を有効に保護することができる。
【発明を実施するための最良の形態】
【００１３】
以下、本発明をその実施形態に基づいて説明する。
図１は、本発明の実施形態に係る施錠装置について、引き戸が開いた状態を示している。この状態では、開口部１を通って人が自由に出入りできる。引き戸２の上部両端に突起部３ａ、３ｂが設けられ、この突起部３ａ、３ｂは、引き戸２に設けられた操作部４を操作することによって出没自在となっている。引き戸２の上方には車輪５が固定された車輪固定部６が設けられており、車輪５がレール７上を回転することによって引き戸２が移動する。
【００１４】
レール７の下方側両端には、突起部３ａ、３ｂを係止するためのストッパ８ａ、８ｂが設けられている。また、レール７の上側の一端には、ばね９を巻き取るための巻き取り部１０が設けられ、ばね９の一端は車輪固定部６に取付られている。図１に示す、引き戸２が開いた状態では、突起部３ａはストッパ８ａに係止されている。
【００１５】
この施錠装置をコンビニエンスストア等の店舗の倉庫の入り口に設置した場合について、その動作を以下に説明する。
店舗の店員が危険を感じて倉庫内に入り、操作部４を下方に押し下げると、突起部３ａ、３ｂが引き戸２内に没し、突起部３ａとストッパ８ａとの係止が解除される。すると、車輪５がレール７上を回転して引き戸２が移動するが、車輪固定部６にばね９の一端が取付られていることによって、引き戸２は加速されて移動する。
【００１６】
図２は、引き戸２の移動によって開口部１が塞がれて閉状態となったときを示しており、突起部３ｂがストッパ８ｂに係止することによって施錠される。このように、操作部４を下方に押し下げるだけで、引き戸２を人力によって引くことなく、図２に示す閉状態となって施錠されるため、簡単な方法で瞬時に施錠することが可能となる。非常事態が発生すると、その場に居合わせた人間はその心理状態がパニック状態となるため、複雑な操作を要する装置では、適切な操作を行うことは困難であるが、本発明の施錠装置は操作が極めて簡単であるため、このような心理状態であっても確実に施錠することができる。
【００１７】
以上の説明においては、引き戸２を加速させて閉状態とする手段として、引き戸２に設けられた車輪固定部６にばね９の一端を取り付けた構成としているが、これに限定されるものではない。例えば、閉状態となる方向に向かってレール７を下方に傾斜させて形成することによって、引き戸２を加速させて移動することができる。また、巻き取り部１０が設けられている位置に重りを垂下させて設置し、この重りと車輪固定部６とをロープ等で連結して、引き戸２を重りによって加速させて閉状態とすることもできる。
【００１８】
また、操作部４を下方に押し下げて突起部３ａ、３ｂを引き戸２内に没するようにしているが、操作部４の動作はこれに限定されるものではなく、突起部３ａ、３ｂが容易に出没するように機能するものであれば、操作部４は他の動作を行うものであってもよい。
さらに、上記の施錠装置に付加して、扉の外側から店舗の関係者等のみが解錠できるような解錠手段を設けることもできる。このような解錠手段を設けると、例えば、店員が負傷して倉庫内に逃げ込んだ場合などに、店員が動けなくなったときにも、通報を受けて駆けつけた店舗の関係者や警察官等が解錠して、店員を救出することができる。
本発明の施錠装置は、コンビニエンスストア等の店舗に対して適用されるばかりでなく、非常事態が発生したときに、扉を閉めて避難する必要がある際に、簡便に施錠することができる装置として、幅広く利用することができるものである。
【産業上の利用可能性】
【００１９】
本発明は、コンビニエンスストア等の店舗やその他の場所において、防犯用などの目的で、非常事態が発生したときに、扉を閉めて避難する必要がある際に用いられる施錠装置として利用することができる。
【図面の簡単な説明】
【００２０】
【図１】本発明の実施形態に係る施錠装置について、引き戸が開いた状態を示す図である。
【図２】本発明の実施形態に係る施錠装置について、引き戸が閉じた状態を示す図である。
【符号の説明】
【００２１】
１  開口部
２  引き戸
３ａ、３ｂ  突起部
４  操作部
５  車輪
６  車輪固定部
７  レール
８ａ、８ｂ  ストッパ
９  ばね
１０  巻き取り部
【図１】
2006037517.tif 000003
【図２】
2006037517.tif 000004